(57)【要約】【課題】テレビ放送受像機でウェブページを視聴するときに、ウェブページに好適な画質設定を行う。【解決手段】新たなウェブページが選択されると、ウェブ画質決定部はウェブページのＨＴＭＬ文書中の全タグに占める、画像を表示するためのタグ、例えば、ＩＭＧタグやＥＭＢＥＤタグ、ＯＢＪＥＣＴタグなどの比率ｒを算出する（Ｓ１０）。画像の比率ｒが所定の閾値ｒ０以上である場合（Ｓ１２のＹ）、画像画質調整部はイメージコンテンツモード処理を実行する（Ｓ１４）。また、画像の比率ｒが所定の閾値ｒ０未満である場合（Ｓ１２のＮ）、テキスト画質調整部はテキストコンテンツモード処理を実行する（Ｓ１６）。【選択図】図２
2009060205.tif 000002
【特許請求の範囲】
【請求項１】
ウェブページを解析する解析工程と、
解析の結果に基づいて前記ウェブページに含まれる文字または画像の量を特定するコンテンツ量特定工程と、
前記文字または前記画像の量に応じて、表示装置の画質設定を変更する画質調整工程と、
を有することを特徴とする表示装置の表示画質制御方法。
【請求項２】
前記コンテンツ量特定工程が前記ウェブページに含まれる文字の量が多いと判断したときに、前記画質調整工程は前記画質設定としてシャープネスの設定変更を行うことを特徴とする請求項１に記載の表示装置の表示画質制御方法。
【請求項３】
前記コンテンツ量特定工程が前記ウェブページに含まれる文字の量が少ないと判断したときに、前記画質調整工程は前記画質設定としてシャープネスの設定変更を行わないことを特徴とする請求項２に記載の表示装置の表示画質制御方法。
【請求項４】
前記ウェブページに含まれる文字の大きさの大小を判断する大小判定工程を有し、
前記大小判定工程が前記文字の大きさが小さいと判断したときに、前記画質調整工程は前記画質設定としてシャープネスを上げることを特徴とする請求項２に記載の表示装置の表示画質制御方法。
【請求項５】
前記大小判定工程が前記文字の大きさが大きいと判断したときに、前記画質調整工程は前記画質設定としてシャープネスの設定を変更しないことを特徴とする請求項４に記載の表示装置の表示画質制御方法。
【請求項６】
前記ウェブページに含まれる文字の色と、前記文字の背景の色との色相の差を判定する色相差判定工程を有し、
前記色相差判定工程が前記色相の差が小さいと判断したときに、前記画質調整工程は前記画質設定としてコントラストを上げることを特徴とする請求項１から５までのいずれか１項に記載の表示装置の表示画質制御方法。
【請求項７】
前記ウェブページに含まれる文字の色と、前記文字の背景の色との色相の差を判定する色相差判定工程を有し、
前記色相差判定工程が前記色相の差が大きいと判断したときに、前記画質調整工程は前記画質設定としてコントラストを下げることを特徴とする請求項１から６までのいずれか１項に記載の表示装置の表示画質制御方法。
【請求項８】
前記コンテンツ量特定工程において画像が多いと判断されたときに、静止画と動画のいずれの画像が多いかを判断する画像判定工程と、
前記静止画または動画の量に応じて、表示装置の画質の設定変更を行う画像設定変更工程と、
を有することを特徴とする請求項１から７までのいずれか１項に記載の表示装置の表示画質制御方法。
【請求項９】
前記画質調整工程は、前記ウェブページのＨＴＭＬ文書に含まれるＨＴＭＬタグに応じて自動的に前記画質設定の設定変更を行うことを特徴とする請求項１から８までのいずれか１項に記載の表示装置の表示画質制御方法。
【請求項１０】
ウェブページに接続可能なテレビ放送受信機であって、
接続したウェブページを解析するウェブページ解析部と、
前記ウェブページに含まれる文字または画像の量を特定する文字・画像特定部と、
前記文字の量に応じて、当該テレビ放送受信機の画質設定の一つとして、シャープネスの設定を変更する画質調整部と、
を有することを特徴とするテレビ放送受信機。
【請求項１１】
前記ウェブページに含まれる画像の量を解析し、画像が多いと判断した場合には、前記画質調整部はシャープネスの設定の変更を行わず、画像が多いことにより前記シャープネスの設定の変更を行わないときに、前記画質調整部が静止画と動画の比率に応じて静止画または動画に適した画質設定の変更を行う、画像設定変更部を有することを特徴とする請求項１０に記載のテレビ放送受信機。
【発明の詳細な説明】
【技術分野】
【０００１】
本発明は、表示画質設定方法およびテレビ放送受信機に係り、特にウェブページに接続可能な表示装置における表示画質設定方法およびテレビ放送受信機に関する。
【背景技術】
【０００２】
インターネットに接続可能なテレビ放送受信機が、徐々に普及するようになってきた。特に液晶テレビのように薄型テレビの競争の激化にともない、テレビ放送受信機にはインターネット接続機能のような本来のテレビ放送受信機の機能とは異なる機能が搭載されるようになっている。
【０００３】
特にインターネット接続機能は、液晶パネルの高解像度化にともない、多くのテレビ放送受信機に搭載されるようになった。ところで、ユーザが好ましいと感じる画質は、テレビ放送受信機に表示されるコンテンツによって異なることが多い。例えば、スポーツ番組やアニメ番組、映画などによって、ユーザに好まれる画質が異なる。また、放送番組を視聴するときの画質設定とコンピュータの画像を視聴するときの画質とで異なる。
【０００４】
そこで、表示されるコンテンツに応じて、ユーザは予め設定されているいくつかの画質設定を選択して、テレビの画質設定を所望の設定に変更している。また、例えば外部入力やＨＤＭＩ入力などのような入力ソースに応じてユーザが好みの画質を設定することも出来る。
【０００５】
また、従来の表示装置の解像度は、コンピュータのモニタの解像度と比較して低解像であったことから、コンピュータの画面表示を行うために、視認性向上させる技術が用いられている。
【０００６】
例えば、そのような技術として、ＨＴＭＬコンテンツの表示サイズを与えられた表示エリアに応じてスケーリング処理を行い、文字情報部分の表示サイズを調整する技術がある（特許文献１参照）。
【０００７】
また、表示装置上に画像調整画面及び制御画面を表示させ、それら画面により表示装置の画質コントロールを行う技術もある（特許文献２参照）。
【特許文献１】特開２００７−１１７８７号公報
【特許文献２】特開平１０−１７７３７２号公報
【発明の開示】
【発明が解決しようとする課題】
【０００８】
ところで、特許文献１に開示の技術では、表示サイズのスケーリング処理および文字サイズの変更を行うため、コンテンツ本来の体裁が崩れるという課題があった。また、視認性向上の手段として「拡大」処理を採用しているため、表示範囲が限定されるという課題もあった。さらに、特許文献２に開示の技術では、テスト画像による画質調整であり、ユーザはその画像を見ながら調整する必要があり、現在のウェブページのように、コンテンツが異なるページを次々と視聴するといったことを考慮したものではなく、ウェブページの視聴の場合には現実的でない。
【０００９】
本発明の目的は、このような課題に鑑みなされたもので、ウェブページを視聴可能なテレビ放送受信機において、ウェブページを視聴するときに視認性を向上させる技術を提供することにある。
【課題を解決するための手段】
【００１０】
本発明に係る表示装置の表示画質制御方法は、ウェブページを解析する解析工程と、解析の結果に基づいて前記ウェブページに含まれる文字または画像の量を特定するコンテンツ量特定工程と、前記文字または前記画像の量に応じて、表示装置の画質設定を変更する画質調整工程と、を有する。
また、前記コンテンツ量特定工程が前記ウェブページに含まれる文字の量が多いと判断したときに、前記画質調整工程は前記画質設定としてシャープネスの設定変更を行ってもよい。
また、前記コンテンツ量特定工程が前記ウェブページに含まれる文字の量が少ないと判断したときに、前記画質調整工程は前記画質設定としてシャープネスの設定変更を行わなくともよい。
また、前記ウェブページに含まれる文字の大きさの大小を判断する大小判定工程を有し、前記大小判定工程が前記文字の大きさが小さいと判断したときに、前記画質調整工程は前記画質設定としてシャープネスを上げてもよい。
また、前記大小判定工程が前記文字の大きさが大きいと判断したときに、前記画質調整工程は前記画質設定としてシャープネスの設定を変更しなくてもよい。
また、前記ウェブページに含まれる文字の色と、前記文字の背景の色との色相の差を判定する色相差判定工程を有し、前記色相差判定工程が前記色相の差が小さいと判断したときに、前記画質調整工程は前記画質設定としてコントラストを上げてもよい。
また、前記ウェブページに含まれる文字の色と、前記文字の背景の色との色相の差を判定する色相差判定工程を有し、前記色相差判定工程が前記色相の差が大きいと判断したときに、前記画質調整工程は前記画質設定としてコントラストを下げてもよい。
また、前記コンテンツ量特定工程において画像が多いと判断されたときに、静止画と動画のいずれの画像が多いかを判断する画像判定工程と、前記静止画または動画の量に応じて、表示装置の画質の設定変更を行う画像設定変更工程と、を有してもよい。
また、前記画質調整工程は、前記ウェブページのＨＴＭＬ文書に含まれるＨＴＭＬタグに応じて自動的に前記画質設定の設定変更を行ってもよい。
本発明に係るテレビ放送受信機は、ウェブページに接続可能なテレビ放送受信機であって、接続したウェブページを解析するウェブページ解析部と、前記ウェブページに含まれる文字または画像の量を特定する文字・画像特定部と、前記文字の量に応じて、当該テレビ放送受信機の画質設定の一つとして、シャープネスの設定を変更する画質調整部と、を有する。
また、前記ウェブページに含まれる画像の量を解析し、画像が多いと判断した場合には、前記画質調整部はシャープネスの設定の変更を行わず、画像が多いことにより前記シャープネスの設定の変更を行わないときに、前記画質調整部が静止画と動画の比率に応じて静止画または動画に適した画質設定の変更を行ってもよい。
【発明の効果】
【００１１】
本発明によれば、ウェブページのコンテンツの内容に応じてテレビ放送受信機の画質設定機能を用いて画質の調整を行う構成としたため、テレビ放送受信機でウェブページを視聴する場合であっても、ユーザは適切な視認性によりウェブページを視聴できる。
【発明を実施するための最良の形態】
【００１２】
次に、本発明を実施するための最良の形態（以下、単に「実施形態」という）を、図面を参照して具体的に説明する。本実施形態では、インターネットに接続してウェブページを視聴することが出来る機能を有するテレビ放送受信機において、ユーザがウェブページを視聴するときに、ウェブページのコンテンツに応じてテレビに設定されている画質を調整し、そのウェブページの視認性を向上させる。
【００１３】
図１は、本実施形態に係るテレビ放送受像機１０の機能ブロック図である。テレビ放送受像機１０は、各構成要素を統括的に制御する主制御部１２と、チューナ１３と、表示制御部１５と、表示部２０と、画質設定部４０とを備える。さらに、テレビ放送受像機１０は、ＤＶＤプレーヤ１８などの外部装置から信号を取得する外部入力部１４と、リモコン１７等の操作装置からユーザの指示を受けつけるユーザインタフェイス部１６、及びインターネットに接続してウェブページにアクセスし表示するインターネット機能部３０を備える。
【００１４】
チューナ１３は、アンテナ１１に接続され放送波を受信して所定の番組を復調・復号する。表示制御部１５は、液晶パネルやブラウン管などの表示部２０に表示するための画像データを生成する。また、表示制御部１５は、表示部２０に表示すべき画像のソースとして、チューナ１３、外部入力部１４、またはインターネット機能部３０を選択するセレクタ機能を有する。
【００１５】
インターネット機能部３０は、インターネット接続部３１と、ウェブブラウザ３２とを備える。インターネット接続部３１は、ネットワーク接続インタフェイスを備えインターネット１９に接続する。ウェブブラウザ３２は、ページ解析部３３と、ページ表示部３４と、ウェブ画質決定部３５とを備える。
【００１６】
ページ解析部３３は、ウェブページに接続したときに、そのページのＨＴＭＬ（HyperText Markup Language）文書や画像データなどを解析する。ウェブ画質決定部３５は、後述するウェブページ表示のときの画質調整のために、ＨＴＭＬ文書中のタグや、文字の属性、画像などに関する情報を取得し、ウェブページの視聴に最適と想定される画質を決定する。ページ表示部３４は、ページ解析部３３の解析結果に基づいて文字や画像等をブラウザの表示領域に適切に配置し、又は文字の書式を調整したりするなどして、最終的に表示を行うレンダラーとして機能する。
【００１７】
画質設定部４０は、テレビ放送受像機１０の表示部２０に表示される画像の画質を調整する。ここで調整する画質は、例えば、明るさや、シャープネス、コントラスト、色合い、ノイズリダクションの強弱等である。
【００１８】
また、画質設定部４０は、ウェブページを表示部２０に表示するときに、その表示に適した画質を設定するために、テキスト画質調整部４１と画像画質調整部４２とを有する。
【００１９】
テキスト画質調整部４１は、ウェブ画質決定部３５においてウェブページにテキストが多く表示されると判定されたときに、テキストの視認に好ましい画質に設定する。具体的には、テキスト画質調整部４１は、シャープネスを増加させたり、コントラストを増減させる処理を行う。なお、このようにテキストが多いときになされる画質設定の処理を、「テキストコンテンツモード処理」という。
【００２０】
画像画質調整部４２は、ウェブ画質決定部３５において画像が多く含まれていると判断されたときに、画像の視認に好ましい画質を設定する。具体的には、ウェブページに画像が多い場合には、シャープネスを増加させると視認性が低下することがあるので、シャープネスを変更する処理は行わず、ここではノイズリダクションの効果を強めるまたは弱める処理を行う。なお、このように画像が多いときになされる画質設定の処理を、「イメージコンテンツモード処理」という。一般に、動画を表示する場合、ブロックノイズやＭＰＥＧノイズが発生することが多い。そこで、動画が多いと判断された場合には、ノイズリダクションの効き具合を強くする。また静止画像が多いと判断された場合には、ノイズリダクションの効き具合を弱くする。また、動画が多いと判断された場合、さらにウェブ画質決定部３５が動画のビットレートを取得して、ビットレートが低い場合には、ノイズリダクションの効き具合を強くするようにしてもよい。
【００２１】
なお、主制御部１２や表示制御部１５等の各構成要素は、例えば、ＣＰＵ（中央演算装置）等のＬＳＩ（大規模集積回路）やメモリで構成され、メモリに記憶されたプログラムが実行されることで、その機能が実現される。
【００２２】
以上の構成による、ウェブページ視聴の時の画質設定処理について、図２〜４のフローチャートを用いて説明する。
【００２３】
図２に示すフローチャートは、ウェブブラウザ３２が起動してウェブページが表示されたときや、新たなウェブページが表示されるときに行われる処理である。
【００２４】
新たなウェブページが選択されると、ウェブ画質決定部３５は、ＨＴＭＬタグを解析して、文字が多いページであるか、それとも画像が多いページであるかを判断する。そのためにまず、ウェブ画質決定部３５は、ページ解析部３３の解析結果を参照して、選択されたウェブページのＨＴＭＬ文書中の全タグに占める、画像を表示するためのタグ、例えば、ＩＭＧタグやＥＭＢＥＤタグ、ＯＢＪＥＣＴタグなどの比率ｒを算出する（Ｓ１０）。
【００２５】
つづいて、ウェブ画質決定部３５は、算出された画像の比率ｒと所定の閾値ｒ０とを比較する（Ｓ１２）。画像の比率ｒが所定の閾値ｒ０以上である場合（Ｓ１２のＹ）、画質設定部４０の画像画質調整部４２は、イメージコンテンツモード処理を実行する（Ｓ１４）。また、画像の比率ｒが所定の閾値ｒ０未満である場合（Ｓ１２のＮ）、画質設定部４０のテキスト画質調整部４１は、テキストコンテンツモード処理を実行する（Ｓ１６）。そして、イメージコンテンツモード処理またはテキストコンテンツモード処理が終了したら、このフローによる処理は終了し、つぎに新たなウェブページが選択されると、図２に示したフローによる処理が繰り返される。
【００２６】
つぎに、図３に示すフローチャートを用いて、図２におけるＳ１４の処理であるイメージコンテンツモード処理について説明する。
【００２７】
イメージコンテンツモード処理が開始すると、ウェブ画質決定部３５は、ウェブページに含まれる画像が、静止画または動画のいずれの画像が多いかを判定する（Ｓ２０）。
【００２８】
静止画が多いと判定された場合（Ｓ２２のＹ）、静止画用画質設定として上述の通り、画像画質調整部４２は、ノイズリダクションの効き具合を弱くする（Ｓ２４）。一方、動画が多いと判定された場合（Ｓ２２のＮ）、画像画質調整部４２は、動画用画質設定として上述の通り、ノイズリダクションの効き具合を強くする（Ｓ２６）。そして動画用画質設定又は静止画用画質設定の処理が終了すると、このフローによる処理は終了する。
【００２９】
つぎに、図４に示すフローチャートを用いて、図２におけるＳ１６の処理であるテキストコンテンツモード処理について説明する。
【００３０】
テキストコンテンツモード処理が開始すると、ウェブ画質決定部３５は、選択されたウェブページ内に表示されるテキストの文字サイズの平均値ｓを算出する（Ｓ３０）。
【００３１】
そして、ウェブ画質決定部３５は、文字サイズの平均値ｓと所定の閾値Ｔｓとを比較して、その平均値ｓが閾値Ｔｓ以下の場合（Ｓ３２のＹ）、ウェブ画質決定部３５は、画質設定部４０のテキスト画質調整部４１に対して、画質設定項目のうちシャープネスを増加するように通知し、テキスト画質調整部４１はその通知を受けてシャープネスの設定を一段階増加させる（Ｓ３４）。
【００３２】
つぎに、ウェブ画質決定部３５は、上記の閾値Ｔｓを更新して、調整単位ｘだけ小さくする（Ｓ３６）。そして、上記の平均値ｓが更新された閾値Ｔｓ以下の間（Ｓ３２のＹ）、Ｓ３４とＳ３６の処理が継続される。この処理によって、テキストが多いウェブページの場合、シャープネスを増加させてテキストのエッジを強調することで、細かなテキストであっても見やすくするようにする。そして、テキストのサイズが一定閾値より小さくなるほど、段階的にシャープネスを強くかけるようにすれば、大きな文字サイズのテキストにシャープネスが係りすぎて見にくくなってしまったり、また、サイズの小さいテキストがぼやけて見にくくなってしまうことを防止できる。
【００３３】
そして、更新された閾値Ｔｓが上記の平均値ｓより小さくなると（Ｓ３２のＮ）、ウェブ画質決定部３５は、テキストの文字色と背景色との色相の差分ｈを算出する（Ｓ３８）。
【００３４】
そして、ウェブ画質決定部３５は、算出された差分ｈと所定の閾値Ｔｈとの大きさを比較する（Ｓ４０）。
【００３５】
差分ｈが閾値Ｔｈより小さい場合（Ｓ４０のａ）、テキストの文字色と背景色との色相が近く色が似ていると判断し、ウェブ画質決定部３５は画質設定部４０のテキスト画質調整部４１に対して画質設定項目のうちコントラストを増加するように通知し、テキスト画質調整部４１はその通知を受けてコントラストを一段階増加させる（Ｓ４２）。つぎに、ウェブ画質決定部３５は、上記の閾値Ｔｈを更新して、調整単位ｙだけ小さくする（Ｓ４４）。そして、差分ｈが閾値Ｔｈより小さい間は（Ｓ４０のａ）、Ｓ４２及びＳ４４の処理が継続される。
【００３６】
そして、差分ｈが閾値Ｔｈより大きい場合（Ｓ４０のｂ）、ウェブ画質決定部３５は画質設定部４０のテキスト画質調整部４１に対してコントラストを減少させるように通知し、テキスト画質調整部４１はその通知を受けてコントラストを減少させる（Ｓ４６）。また、差分ｈと閾値Ｔｈが同じ場合は（Ｓ４０のｃ）、ウェブ画質決定部３５はコントラストの調整が不要と判断し、テキスト画質調整部４１はコントラスト調整を行わず処理は終了する。
【００３７】
以上、本実施形態によれば、テレビ放送受像機１０でウェブページを表示させる場合であっても、ＨＴＭＬ文書の内容、例えば、ＨＴＭＬタグなどに応じて自動的に画質が決定されるため、ユーザは手動で画質設定を行うことなくウェブコンテンツを好適な画質で閲覧できる。特に、テレビ放送受像機１０は、一般的なＰＣ用のモニタと比べ、画質を決定するグラフィックチップの画質調整機能が充実しているため、いわゆるインターネット対応型テレビとしての利点が十分に活用できる。また、シャープネスやコントラスト等の画質の調整で見やすさを向上させることから、従来のような文字サイズを変更して視認性を向上させる技術と異なり、ウェブページの体裁（コンテンツのレイアウト）を崩すといったことは発生しない。
【００３８】
以上、本発明を実施形態をもとに説明した。この実施形態は例示であり、それらの各構成要素や各処理プロセスの組合せにいろいろな変形例が可能なこと、またそうした変形例も本発明の範囲にあることは当業者に理解されるところである。
【図面の簡単な説明】
【００３９】
【図１】本実施形態に係る、インターネットに接続する機能を有するテレビ放送受像機の機能ブロック図である。
【図２】本実施形態に係る、ウェブブラウザが起動してウェブページが表示されたときや、新たなウェブページが表示されるときに行われる処理を示すフローチャートである。
【図３】本実施形態に係る、イメージコンテンツモード処理を示すフローチャートである。
【図４】本実施形態に係る、テキストコンテンツモード処理を示すフローチャートである。
【符号の説明】
【００４０】
１０  テレビ放送受像機
１１  アンテナ
１２  主制御部
１３  チューナ
１４  外部入力部
１５  表示制御部
１６  ユーザインタフェイス部
１７  リモコン
１８  ＤＶＤプレーヤ
１９  インターネット
２０  表示部
３０  インターネット機能部
３１  インターネット接続部
３２  ウェブブラウザ
３３  ページ解析部
３４  ページ表示部
３５  ウェブ画質決定部
４０  画質設定部
４１  テキスト画質調整部
４２  画像画質調整部
【図１】
2009060205.tif 000003
【図２】
2009060205.tif 000004
【図３】
2009060205.tif 000005
【図４】
2009060205.tif 000006